(57)【要約】【課題】自己が備える電力出力手段の電力変換効率を考慮し、例えば画像処理動作以外の他のモードにおいても消費電力の削減を図る。【解決手段】主電源スイッチが入れられると（Ｓ１０１）、ＵＳＢケーブルからの給電があるか否かを判断し（Ｓ１０２）、給電があれば、供給電力で足りるか否かを判断し（Ｓ１０３）、足りなければＳ１０５に進み、足りればスイッチをオフにする（Ｓ１０４）。給電がなければＳ１０５に進む。Ｓ１０５では、他のケーブルからの給電があるか否かを判断し、給電があれば、供給電力で足りるか否かを判断し（Ｓ１０６）、足りなければＳ１０９に進み、足りれば内部スイッチをオフにし（Ｓ１０７）、最大消費電力の変更の検出を行う（Ｓ１０８）。Ｓ１０９では、ＡＣ電源部からの給電があるか否かを判断し、給電がなければ内部スイッチをオンにし（Ｓ１１０）、省電力モード移行の検出を行う（Ｓ１１１）。【選択図】図６
2009237985.tif 000002
【特許請求の範囲】
【請求項１】
商用電源から電力の供給を受けて直流の電力を出力する電力出力手段と、
通信機能及び電力供給機能を有するケーブルによって接続される第１の外部の装置から当該ケーブルを介して電力供給を受ける第１の受電手段と、
通信機能及び電力供給機能を有するケーブルによって接続される第２の外部の装置から当該ケーブルを介して電力供給を受ける第２の受電手段と、
電力情報を取得する取得手段と、
前記取得手段により取得された前記電力情報を基に、使用する電力を、前記電力出力手段から出力される電力と前記第１の受電手段が電力供給を受けた電力と前記第２の受電手段が電力供給を受けた電力とのいずれか１つ又は複数の組み合わせを選択する選択手段と、
を含む画像処理装置。
【請求項２】
前記電力出力手段を入り切りする入り切り手段を更に含み、
前記入り切り手段は、前記電力出力手段から出力される電力が前記選択手段により選択されないときに当該電力出力手段を切ることを特徴とする請求項１に記載の画像処理装置。
【請求項３】
前記第１の受電手段と前記第２の受電手段は、互いに異なる規格により構成されていることを特徴とする請求項１又は２に記載の画像処理装置。
【請求項４】
前記第２の受電手段が電力供給を受ける最大電力は前記第１の受電手段が電力供給を受ける最大電力よりも大きく、
前記選択手段は、前記第２の受電手段での電力を選択し、取得した電力情報による消費電力量が当該第２の受電手段での最大電力を超えているときには、前記第１の受電手段及び当該第２の受電手段での電力を選択することを特徴とする請求項１ないし３のいずれか１項に記載の画像処理装置。
【請求項５】
通信機能及び電力供給機能を有するケーブルによって接続される前記第１の外部の装置は、ハブであることを特徴とする請求項１ないし４のいずれか１項に記載の画像処理装置。
【請求項６】
商用電源から電力の供給を受けて直流の電力を出力する電力出力手段と、通信機能及び電力供給機能を有するケーブルによって接続される第１の外部の装置から当該ケーブルを介して電力供給を受ける第１の受電手段と、通信機能及び電力供給機能を有するケーブルによって接続される第２の外部の装置から当該ケーブルを介して電力供給を受ける第２の受電手段と、を含む画像処理装置が備える制御回路であって、
電力情報を取得する取得手段と、
前記取得手段により取得された前記電力情報を基に、使用する電力を、前記電力出力手段から出力される電力と前記第１の受電手段が受電した電力と前記第２の受電手段が受電した電力とのいずれか１つ又は複数の組み合わせを選択する選択手段と、
を含む制御回路。
【請求項７】
前記電力出力手段を入り切りする入り切り手段を更に含み、
前記入り切り手段は、前記電力出力手段から出力される電力が前記選択手段により選択されないときに当該電力出力手段を切ることを特徴とする請求項６に記載の制御回路。
【請求項８】
商用電源から電力の供給を受けて直流の電力を出力する電力出力手段と、通信機能及び電力供給機能を有するケーブルによって接続される第１の外部の装置から当該ケーブルを介して電力供給を受ける第１の受電手段と、通信機能及び電力供給機能を有するケーブルによって接続される第２の外部の装置から当該ケーブルを介して電力供給を受ける第２の受電手段と、を含む画像処理装置が備えるコンピュータに、
電力情報を取得する取得機能と、
前記取得機能により取得された前記電力情報を基に、使用する電力を、前記電力出力手段から出力される電力と前記第１の受電手段が受電した電力と前記第２の受電手段が受電した電力とのいずれか１つ又は複数の組み合わせを選択する選択機能と、
を実現させるプログラム。
【請求項９】
前記電力出力手段を入り切りする入り切り機能を更に実現させ、
前記入り切り機能は、前記電力出力手段から出力される電力が前記選択機能により選択されないときに当該電力出力手段を切ることを特徴とする請求項８に記載のプログラム。
【発明の詳細な説明】
【技術分野】
【０００１】
本発明は、画像処理装置、制御回路及びプログラムに関するものである。
【背景技術】
【０００２】
例えば、特許文献１には、電源関連コストを抑え、電源操作レスにし、かつ、省エネモード時における待機時の消費電力を抑えた印刷装置が開示されている。すなわち、この印刷装置は、通電状態のパーソナルコンピュータに接続されたＵＳＢインターフェースケーブルを当該印刷装置に設けられたコネクタに接続することにより、ＰＳＵ（メイン電源）をＯＮさせるパワーコントロール部を有する。このパワーコントロール部は、印刷処理が所定時間行われなかった場合に、ＰＳＵをＯＦＦさせて、パーソナルコンピュータから供給された電力によってプリンタ言語の受信待機状態に移行する。そして、プリンタ言語の受信した時点で、ＰＳＵをＯＮさせて印刷を実行する。
【０００３】
【特許文献１】特開２００３−１１８２０４号公報
【発明の開示】
【発明が解決しようとする課題】
【０００４】
ここで、画像処理装置が備える電源は、一般に、画像処理動作中に電力変換効率が最適になるように設定されている。したがって、画像処理動作以外の例えば省電力モードや、消費電力が画像処理動作時よりも低く省電力モードよりも高い他のモードの際には、電源の電力変換効率が一般に低下する。
【０００５】
本発明は、自己が備える電力出力手段の電力変換効率を考慮し、例えば画像処理動作以外の他のモードにおいても消費電力の削減を図ることが可能な画像処理装置、制御回路及びプログラムを提供することを目的とする。
【課題を解決するための手段】
【０００６】
請求項１に記載の発明は、商用電源から電力の供給を受けて直流の電力を出力する電力出力手段と、通信機能及び電力供給機能を有するケーブルによって接続される第１の外部の装置から当該ケーブルを介して電力供給を受ける第１の受電手段と、通信機能及び電力供給機能を有するケーブルによって接続される第２の外部の装置から当該ケーブルを介して電力供給を受ける第２の受電手段と、電力情報を取得する取得手段と、前記取得手段により取得された前記電力情報を基に、使用する電力を、前記電力出力手段から出力される電力と前記第１の受電手段が電力供給を受けた電力と前記第２の受電手段が電力供給を受けた電力とのいずれか１つ又は複数の組み合わせを選択する選択手段と、を含む画像処理装置である。
請求項２に記載の発明は、前記電力出力手段を入り切りする入り切り手段を更に含み、前記入り切り手段は、前記電力出力手段から出力される電力が前記選択手段により選択されないときに当該電力出力手段を切ることを特徴とする請求項１に記載の画像処理装置である。
請求項３に記載の発明は、前記第１の受電手段と前記第２の受電手段は、互いに異なる規格により構成されていることを特徴とする請求項１又は２に記載の画像処理装置である。
請求項４に記載の発明は、前記第２の受電手段が電力供給を受ける最大電力は前記第１の受電手段が電力供給を受ける最大電力よりも大きく、前記選択手段は、前記第２の受電手段での電力を選択し、取得した電力情報による消費電力量が当該第２の受電手段での最大電力を超えているときには、前記第１の受電手段及び当該第２の受電手段での電力を選択することを特徴とする請求項１ないし３のいずれか１項に記載の画像処理装置である。
請求項５に記載の発明は、通信機能及び電力供給機能を有するケーブルによって接続される前記第１の外部の装置は、ハブであることを特徴とする請求項１ないし４のいずれか１項に記載の画像処理装置である。
【０００７】
請求項６に記載の発明は、商用電源から電力の供給を受けて直流の電力を出力する電力出力手段と、通信機能及び電力供給機能を有するケーブルによって接続される第１の外部の装置から当該ケーブルを介して電力供給を受ける第１の受電手段と、通信機能及び電力供給機能を有するケーブルによって接続される第２の外部の装置から当該ケーブルを介して電力供給を受ける第２の受電手段と、を含む画像処理装置が備える制御回路であって、電力情報を取得する取得手段と、前記取得手段により取得された前記電力情報を基に、使用する電力を、前記電力出力手段から出力される電力と前記第１の受電手段が受電した電力と前記第２の受電手段が受電した電力とのいずれか１つ又は複数の組み合わせを選択する選択手段と、を含む制御回路である。
請求項７に記載の発明は、前記電力出力手段を入り切りする入り切り手段を更に含み、前記入り切り手段は、前記電力出力手段から出力される電力が前記選択手段により選択されないときに当該電力出力手段を切ることを特徴とする請求項６に記載の制御回路である。
【０００８】
請求項８に記載の発明は、商用電源から電力の供給を受けて直流の電力を出力する電力出力手段と、通信機能及び電力供給機能を有するケーブルによって接続される第１の外部の装置から当該ケーブルを介して電力供給を受ける第１の受電手段と、通信機能及び電力供給機能を有するケーブルによって接続される第２の外部の装置から当該ケーブルを介して電力供給を受ける第２の受電手段と、を含む画像処理装置が備えるコンピュータに、電力情報を取得する取得機能と、前記取得機能により取得された前記電力情報を基に、使用する電力を、前記電力出力手段から出力される電力と前記第１の受電手段が受電した電力と前記第２の受電手段が受電した電力とのいずれか１つ又は複数の組み合わせを選択する選択機能と、を実現させるプログラムである。
請求項９に記載の発明は、前記電力出力手段を入り切りする入り切り機能を更に実現させ、前記入り切り機能は、前記電力出力手段から出力される電力が前記選択機能により選択されないときに当該電力出力手段を切ることを特徴とする請求項８に記載のプログラムである。
【発明の効果】
【０００９】
請求項１によれば、本発明を適用しない場合に比べて、例えば画像処理動作以外の他のモードにおいても消費電力の削減を図ることが可能になる。
請求項２によれば、本発明を適用しない場合に比べて、消費電力の削減を図ることが可能になる。
請求項３によれば、異なる規格の受電手段を用いることにより、本発明を適用しない場合に比べて、汎用性を高めることが可能になる。
請求項４によれば、本発明を適用しない場合に比べて、必要な電力量に応じた電力供給を受けることが可能になる。
請求項５によれば、本発明を適用しない場合に比べて、電力を効率的に利用することが可能になる。
請求項６によれば、本発明を適用しない場合に比べて、例えば画像処理動作以外の他のモードにおいても消費電力の削減を図ることが可能になる。
請求項７によれば、本発明を適用しない場合に比べて、消費電力の削減を図ることが可能になる。
請求項８によれば、本発明を適用しない場合に比べて、例えば画像処理動作以外の他のモードにおいても消費電力の削減を図ることが可能になる。
請求項９によれば、本発明を適用しない場合に比べて、消費電力の削減を図ることが可能になる。
【発明を実施するための最良の形態】
【００１０】
以下、添付図面を参照して、本発明の実施の形態について詳細に説明する。
図１は、本実施の形態に係る給電システムＰＳを示す概略構成図である。
同図に示すように、給電システムＰＳは、印刷指示を受信して印刷する画像処理装置の一例としての画像処理装置１と、ケーブルＣ２で画像処理装置１と接続されるホスト装置としての情報処理装置２と、ケーブルＣ３で画像処理装置１とネットワーク接続され、ケーブルＣ３にて電源供給可能なスイッチングハブとしてのハブ３と、を備えている。なお、このケーブルＣ２，Ｃ３の各々は、後述するように、通信機能及び電力供給機能を有するものである。
【００１１】
画像処理装置１は、図示しない電源線のコンセントに接続される電源プラグ付きの電源コード１ａを有する。情報処理装置２は、図示しない電源線のコンセントに接続される電源プラグ付きの電源コード２ａを有する。ハブ３は、図示しない電源線のコンセントに接続される電源プラグ付きの電源コード３ａを有する。
更に説明すると、画像処理装置１は、情報処理装置２からケーブルＣ２を介して電力供給を受け、また、ハブ３からケーブルＣ３を介して電力供給を受ける。
【００１２】
この給電システムＰＳは、情報処理装置２からケーブルＣ２を介して画像処理装置１に印刷出力するシステムであり、また、ネットワークＮＷ及びハブ３からケーブルＣ３を介して画像処理装置１に印刷出力するシステムである。このような給電システムＰＳは、例えばオフィスに設置することができるものである。
【００１３】
ここで、ケーブルＣ２は、ＵＳＢ(Universal Serial Bus)ケーブルであり、データ転送及び給電が可能である。すなわち、ケーブルＣ２により、最大で２．５Ｗの電力供給が可能である。なお、画像処理装置１は、外部インターフェースとして、図示しないＵＳＢインターフェースを有する。
【００１４】
また、ケーブルＣ３は、データ通信線及び電力供給線が一体となって構成されたものが用いられるが、データ通信線及び電力供給線が一対となって構成されたものを用いることも考えられる。
更に説明すると、ケーブルＣ３の電力供給線により、例えば３６〜５７Ｖの入力電圧で、最大で１２．９５Ｗの電力供給が可能である。このため、小電力の機器であれば、電源を自ら準備することなく動作可能である。このような電力供給として、パワーオーバイーサネット（登録商標）(Power-over-Ethernet（登録商標）)接続のような給電ネットワーク接続を介してハブ３から画像処理装置１への電力供給やデータの授受を行うＩＥＥＥ８０２．３ａｆという標準規格を採用することも考えられる。
【００１５】
そして、ハブ３は、ネットワーク機器に電力を供給するパワーオーバイーサネット（登録商標）に対応するものであり、所定のポートに対して電源を供給することでケーブルＣ３を通じて画像処理装置１に給電可能に構成されている。
【００１６】
ここで、画像処理装置１への電力供給は、情報処理装置２からケーブルＣ２を介して行われると共にハブ３からケーブルＣ３を介して行われる場合のほかに、情報処理装置２からケーブルＣ２を介して行われる場合及びハブ３からケーブルＣ３を介して行われる場合が考えられる。付言すると、ハブ３は、通常は常に電源オンの状態で用いられることから、情報処理装置２よりも定常的な電力源として好ましい。
【００１７】
また、上述したように、ケーブルＣ２を通じて画像処理装置１へ給電する給電量が最も少なく、ケーブルＣ３を通じて給電する給電量、電源コード１ａを通じて給電する給電量の順で多くなる。このため、画像処理装置１の消費電力状態に応じて、給電側を選択するように構成することも考えられる。言い換えると、画像処理装置１が必要とする電力量に応じて、ケーブルＣ２，Ｃ３及び電源コード１ａを通じた給電手段のうち不要なものをオフにするような構成も考えられる。
【００１８】
付言すると、画像処理装置１は、ケーブルＣ２を介して情報処理装置２と所定のデータを送受信することができ、また、ケーブルＣ３を介してハブ３に接続される装置（図示省略）と所定のデータを送受信することができる。そして、画像処理装置１と情報処理装置２との間でのデータ転送や画像処理装置１とハブ３に接続される装置（図示省略）との間でのデータ転送を行う前に、送信元と送信先との間でデータ通信を確立するためのネゴシエーション(negotiation)をケーブルＣ２，Ｃ３を介して行う。このネゴシエーションという用語は、ハードウェアデバイス同士が通信（通信条件）に関する情報交換を行うものとも言うことができる。
【００１９】
図２は、ハブ３の機能構成例を示したブロック図である。
同図に示すように、ハブ３は、複数の入力ポート３１Ａ，３１Ｂ（以下、代表して「入力ポート３１」ともいう）、スイッチング部３２、ハブ制御部３３、複数の出力ポート３４Ａ，３４Ｂ，３４Ｃ，３４Ｄ，３４Ｅ（以下、代表して「出力ポート３４」ともいう）、アドレス管理テーブル記憶部３５、バッファメモリ３６、内部電源３７を備えている。なお、同図では、データ信号や制御信号等といった信号を伝送する信号線を破線で示し、各機能部に電力を供給するための電力線を実線で示している。
入力ポート３１Ａ，３１Ｂは、例えばＬＡＮケーブル等の信号ケーブル（通信線）を通してネットワークＮＷと接続される。そして、図示しない端末装置からの印刷データを受け付け、受け付けた印刷データをスイッチング部３２を介してハブ制御部３３に送信する。
スイッチング部３２は、入力ポート３１にて受け付けた印刷データをハブ制御部３３に送信する。また、ハブ制御部３３による制御の下で、印刷データにおいて指示された画像処理装置１が接続されている出力ポート３４に印刷データを送信する。
また、内部電源３７は、商用電源から供給される１００Ｖを例えば５Ｖに変換して、出力ポート３４Ａ〜３４Ｅに供給する。また、不図示の電力線により、ハブ３内の各機能部に駆動電力を供給する。
【００２０】
ハブ制御部３３は、入力ポート３１にて受け付けた印刷データをスイッチング部３２を介して取得する。そして、印刷データをバッファメモリ３６に記憶する。また、ハブ制御部３３は、取得した印刷データを解析して、印刷データの振り分け先である出力ポート３４を決定する。そして、スイッチング部３２に対して、出力ポート３４の設定指示を行い、スイッチング部３２は、振り分け先の出力ポート３４を設定する。そして、ハブ制御部３３は、スイッチング部３２を介して、設定された出力ポート３４に対してバッファメモリ３６に記憶された印刷データを送信する。
【００２１】
ここで、ハブ制御部３３は、出力ポート３４の振り分けを、例えばイーサネット（登録商標）のＭＡＣアドレスに基づいて行う。すなわち、アドレス管理テーブル記憶部３５には、ＭＡＣアドレスと出力ポート３４との対応関係を示すアドレス管理テーブルが記憶され、どのＭＡＣアドレスの画像処理装置１がどの出力ポート３４上に接続されているかが管理されている。そして、ハブ制御部３３は、アドレス管理テーブル記憶部３５のアドレス管理テーブルを参照して、受信した印刷データの先頭にあるＭＡＣアドレスに基づいて振り分け先である出力ポート３４を決定する。アドレス管理テーブルは、印刷データを受信した際に、その印刷データを受け付けた入力ポート３１とその印刷データに含まれている送信元である情報処理装置２（図１参照）のＭＡＣアドレスとを元にして、自動的に作成される。また、画像処理装置１の管理者が特定の出力ポート３４と特定のＭＡＣアドレスとの対応関係をアドレス管理テーブルに追加するようにしてもよい。まだアドレス管理テーブル上に正しいエントリが登録されていなければ、受信した印刷データは全ての出力ポート３４（３４Ａ〜３４Ｅ）へ送信されるが、一度でも印刷データを受信すると、自動的にＭＡＣアドレスを学習し、アドレス管理テーブルを更新する。
【００２２】
また、ハブ制御部３３は、出力ポート３４Ａ〜３４Ｅのそれぞれが、特定の規格（例えば、ＩＥＥＥ８０２．３ａｆ）に準拠した受電機能を備えた画像処理装置１に接続されているか否かを判定する。すなわち、出力ポート３４Ａ〜３４Ｅに接続された画像処理装置１に備えられたデータ信号及び電力を同時に受信するネットワークインターフェイス（以下、「ネットワークＩ／Ｆ」という）が、特定の規格（例えば、ＩＥＥＥ８０２．３ａｆ）に準拠したものであるか否かを判定する。そして、特定の規格に準拠したネットワークＩ／Ｆを備えた画像処理装置１に接続されていると判定した場合に、内部電源３７からの電力を出力ポート３４を介して画像処理装置１に供給するように制御する。
【００２３】
ここで、ハブ制御部３３は、特定の規格に準拠したネットワークＩ／Ｆを備えた画像処理装置１に接続されているか否かの判定を、次のように行う。すなわち、例えば画像処理装置１が接続された出力ポート３４から画像処理装置１に対して所定値の電圧を供給し、その際に流れる電流値を検出する。そして、供給した電圧値と検出された電流値とに基づいて、画像処理装置１のネットワークＩ／Ｆが所定の大きさの抵抗値（例えば、２５ｋΩ）を有しているか否かを調べる。その結果、画像処理装置１のネットワークＩ／Ｆが所定の大きさの抵抗値を有している場合には、ハブ制御部３３は、その出力ポート３４が特定の規格に準拠したネットワークＩ／Ｆを備えた画像処理装置１に接続されていると判定する。
そして、ハブ制御部３３は、特定の規格に準拠したネットワークＩ／Ｆを備えた画像処理装置１に接続されている出力ポート３４から、かかる画像処理装置１に対して内部電源３７からの電力を供給するように制御する。
【００２４】
出力ポート３４Ａ〜３４Ｅは、例えばＬＡＮケーブル等の信号ケーブル（通信線）を介して画像処理装置１と接続される。そして、上記したハブ制御部３３による制御の下で、入力ポート３１にて受け付けた印刷データを画像処理装置１に送信する。
また、出力ポート３４Ａ〜３４Ｅは、ハブ制御部３３により特定の規格に準拠したネットワークＩ／Ｆを備えた画像処理装置１に接続されていると判定された場合に、内部電源３７からの例えば５Ｖの電力を出力ポート３４を介して画像処理装置１に供給する。
【００２５】
図３は、画像処理装置１の構成例を示すブロック図である。
同図に示すように、画像処理装置１は、所定の制御を行うコントローラ４と、装置本体に内蔵され、電源コード１ａから供給されたＡＣ電源をＤＣ電源に変換する電力出力手段の一例としてのＡＣ電源部（商用電源）５１と、を備える。コントローラ４の構成については後述する。
また、画像処理装置１は、ＡＣ電源部５１の給電経路に設けられ、ＡＣ電源部５１にて変換されたＤＣ電源を給電経路を介してコントローラ４へ供給する状態と給電経路を遮断してＤＣ電源を供給しない状態とを切り換える入り切り手段の一例としての内部スイッチ５２を備えている。また、画像処理装置１は、電源コード１ａからＡＣ電源部５１への電源供給の入り切りを行うための主電源スイッチＳＷを備えている。付言すると、主電源スイッチＳＷがオフのときには、ＡＣ電源部５１の内部スイッチ５２はオフである。
【００２６】
コントローラ４は、ケーブルＣ２の電力供給線と接続され、ケーブルＣ２を介して電源を取得する電源取得部４１と、電源取得部４１への給電の入り切りを行うスイッチ４２と、ケーブルＣ３の電力供給線と接続され、ケーブルＣ３を介して電源を取得する電源取得部４３と、電源取得部４３への給電の入り切りを行うスイッチ４４と、を備えている。スイッチ４２，４４及び内部スイッチ５２の入り切りは、後述する電源制御回路６１により制御される。主電源スイッチＳＷは、ユーザにより手動で操作されるものである。電源取得部４１及びスイッチ４２によって、第１の受電手段が構成され、また、電源取得部４３及びスイッチ４４によって、第２の受電手段が構成される。なお、ケーブルＣ３を介して取得する電源の最大電力は、ケーブルＣ２を介して取得する電源の最大電力よりも大きい。
【００２７】
また、コントローラ４は、ＡＣ電源部５１からの電源のほかに電源取得部４１からの電源及び電源取得部４３からの電源が供給される電源供給切り替え部４５を備えている。この電源供給切り替え部４５は、ＡＣ電源部５１、電源取得部４１及び電源取得部４３からの電源を負荷系統４６及び負荷系統４７に電力供給（電力分配）する。
【００２８】
更に説明すると、負荷系統４６には、電源供給切り替え部４５により、ケーブルＣ２の電力供給線とケーブルＣ３の電力供給線とＡＣ電源部５１からの電力供給路の少なくとも一つからの電源が常に供給されている。また、負荷系統４７には、後述する電源制御回路６１の指示に基づいて電源供給切り替え部４５がケーブルＣ２の電力供給線とケーブルＣ３の電力供給線とＡＣ電源部５１からの電力供給路の一つ又は複数から電源が供給される。付言すると、ＡＣ電源部５１は、負荷系統４８に直接電力供給する。負荷系統４８は、負荷系統４６，４７よりも消費電力が高い。
【００２９】
本実施の形態では、負荷系統４６には、ケーブルＣ２のデータ通信線及びケーブルＣ３のデータ通信線の各々と接続される電源制御回路６１と、各デバイス等を制御するための複数のアプリケーション機能が搭載されたＩＯ  ＡＳＩＣ(Application Specific Integrated Circuit)６２と、が含まれる。この電源制御回路６１及び電源供給切り替え部４５により、取得手段及び選択手段を構成することができる。更に、ＩＯ  ＡＳＩＣ６２を取得手段及び選択手段の構成に含ませることも考えられる。
また、電源制御回路６１及び電源供給切り替え部４５により、画像処理装置１が備える制御回路を構成することができる。
【００３０】
また、負荷系統４７には、予め定められた動作制御プログラム（ファームウェア）に従ってデジタル演算処理を実行する演算手段の一例としてのＣＰＵ(Central Processing Unit)７１と、ＣＰＵ７１の作業用メモリ等として機能すると共にＣＰＵ７１により実行される処理プログラムや処理プログラムにて用いられる設定値等のデータ等が格納されるメモリ７２と、が含まれる。なお、メモリ７２は、例えばフラッシュメモリ、ＥＥＰＲＯＭ（Electronically Erasable and Programmable Read Only Memory）などで構成することができる。また、ＣＰＵ７１、メモリ７２及びＩＯ  ＡＳＩＣ６２は、バスで接続されている。
【００３１】
また、負荷系統４８には、所定のプログラムデータ等が格納されるＨＤＤ(Hard Disk Drive)８１と、ユーザが操作したり情報処理装置２がユーザに通知する情報等を表示したりするためのパネル８２と、ユーザ認証を行うためのＩＣカードリーダ８３と、が含まれる。また、負荷系統４８には、ビデオ等を制御するための複数のアプリケーション機能が搭載されたビデオＡＳＩＣ８４と、画像を読み取るスキャナ８５と、画像を用紙に形成するためのエンジン８６と、用紙への穴開け等の後処理を行うフィニッシャ８７と、が含まれる。なお、ＩＣカードリーダ８３及びフィニッシャ８７は、画像処理装置１に外部接続されている。
【００３２】
図４は、電源制御回路６１の構成例を示すブロック図である。
同図に示すように、電源制御回路６１は、電力情報を取得する情報取得部９１と、情報取得部９１により取得した電力情報を含む各種の情報を記憶する記憶部９２と、を備えている。また、電源制御回路６１は、情報取得部９１により取得された電力情報及び／又は記憶部９２により記憶されている情報を基に、負荷系統４７（図３参照）へ供給する電力として、ケーブルＣ２からの電力とケーブルＣ３からの電力とＡＣ電源部５１からの電力のいずれか１つ又は複数を判断する判断部９３と、判断部９３による判断結果を電源供給切り替え部４５に送信する送信部９４と、を備えている。
また、判断部９３は、スイッチ４２，４４及び内部スイッチ５２の入り切りを判断し、スイッチ制御部９５に判断結果を通知する。スイッチ制御部９５は、スイッチ４２，４４及び内部スイッチ５２に対して入り切りの指示を行う。
【００３３】
図５の（ａ）及び（ｂ）は、電源制御回路６１の情報取得部９１が取得する電力情報の一例を示す表である。
同図に示すように、情報取得部９１が取得する電力情報としては、供給電力に関する情報と消費電力に関する情報とがある。供給電力に関する情報には、ＡＣ電源部５１による電力量の情報とケーブルＣ２，Ｃ３による電力量の情報とがある。ケーブルＣ２では、２段階の供給電力状態があり、それぞれの電力量が取得される。また、ケーブルＣ３では、３段階の供給電力状態があり、それぞれの電力量が取得される。具体的に説明すると、ＡＣ電源部５１では、最大で１５００Ｗを供給する。ケーブルＣ２では、最小保証が０．５Ｗで、最大で２．５Ｗである。また、ケーブルＣ３では、クラス１が４Ｗで、クラス２が７Ｗで、クラス３が１５．４Ｗである。すなわち、ケーブルＣ２及びケーブルＣ３により供給できる電力の最大は、２．５Ｗ＋１５．４Ｗ＝１７．９Ｗである。したがって、画像処理装置１は、ケーブルＣ２及びケーブルＣ３を通じて、０．５Ｗ〜１７．９Ｗの電力供給を受けることができる。
【００３４】
また、消費電力に関する情報としては、コントローラ４、ＨＤＤ８１、ＩＣカードリーダ８３、スキャナ８５、エンジン８６及びフィニッシャ８７の電力量の各々の情報がある。更には、コントローラ４には、省電力モードの場合と通常モードの場合とで電力量が異なり、各々についての電力量の情報が取得される。具体的に説明すると、コントローラ４の消費電力は、省電力モードのときには２Ｗで、通常モードのときには１０Ｗである。ＨＤＤ８１の消費電力は１０Ｗで、ＩＣカードリーダ８３の消費電力は５Ｗである。また、パネル８２の消費電力は４０Ｗ、スキャナ８５の消費電力は２００Ｗ、エンジン８６の消費電力は１０００Ｗ、フィニッシャ８７の消費電力は２００Ｗである。このように、画像処理装置１の全体の消費電力は、エンジン８６を使用する場合が最も高く、消費電力モードで最も低くなる。
更に説明すると、省電力モードの際には、ケーブルＣ２の供給電力のみでコントローラ４の消費電力に対応することができる。また、通常モードの際にはケーブルＣ２の供給電力ではコントローラ４の消費電力に対応することができないが、ケーブルＣ３の供給電力のみで対応することができる。また、ＩＣカードリーダ８３の消費電力はケーブルＣ３の供給電力のみで対応することができる。
【００３５】
そして、図５の（ａ）及び（ｂ）に示すように、情報取得部９１は、供給電力に関する情報と消費電力に関する情報との関係を取得する。これらの情報は、ユーザにより入力される場合のほかに、メモリ７２（図３参照）に予め格納されている場合も考えられる。このようにして取得した電力情報は、記憶部９２にいったん記憶され、必要に応じて読み出されたり、取得した後に判断部９３に転送されたりする。なお、同図に示す表では、ＡＣ電源部５１とケーブルＣ２とケーブルＣ３のいずれか１つからの供給電力で対応する場合が示されているが、ＡＣ電源部５１とケーブルＣ２とケーブルＣ３の複数の組み合わせからの供給電力で対応することも考えられる。例えば、ケーブルＣ２及びケーブルＣ３の組み合わせである。
【００３６】
図６は、電源制御回路６１の判断部９３による処理手順の一例を示すフローチャートである。
同６に示すフローチャートでは、主電源スイッチＳＷがユーザにより入れられると（ステップ１０１）、判断部９３は、ケーブルＣ２からの給電があるか否かをケーブルＣ２のデータ通信線を介して取得した情報から判断する（ステップ１０２）。ケーブルＣ２からの給電があると判断部９３が判断すると、次に、最大の消費電力がケーブルＣ２からの供給電力以上か否かを、電力情報（図５参照）から判断する。すなわち、判断部９３は、ケーブルＣ２からの供給電力で足りるか否かを判断する（ステップ１０３）。ステップ１０３において、ケーブルＣ２からの供給電力で足りないと判断すればステップ１０５に進み、ケーブルＣ２からの供給電力で足りると判断すれば、ケーブルＣ３からの給電がオフであることを確認する。もしケーブルＣ３からの給電がオフでなければ、判断部９３は、スイッチ制御部９５を介してスイッチ４４をオフにし（ステップ１０４）、ステップ１０７に進む。
また、ステップ１０２においてケーブルＣ２からの給電がないと判断部９３が判断したときにはステップ１０５に進む。すなわち、ステップ１０５に進む場合としては、ケーブルＣ２からの給電がないか、ケーブルＣ２からの給電があっても最大の消費電力には足りないと判断部９３が判断したときである。
【００３７】
ステップ１０５では、判断部９３は、ケーブルＣ３からの給電があるか否かをケーブルＣ３のデータ通信線を介して取得した情報から判断する。ケーブルＣ３からの給電があると判断部９３が判断すると、最大の消費電力とケーブルＣ２，Ｃ３からの供給電力との関係を判断する。言い換えると、最大の消費電力がケーブルＣ２，Ｃ３からの供給電力以上か否かを、電力情報（図５参照）から判断する。すなわち、判断部９３は、ケーブルＣ２，Ｃ３からの供給電力で足りるか否かを判断する（ステップ１０６）。ケーブルＣ２，Ｃ３からの供給電力では足りないと判断するとステップ１０９に進み、ケーブルＣ２，Ｃ３からの供給電力で足りると判断したときには、ＡＣ電源部５１の内部スイッチ５２がオフであることを確認する。もしオフでなければ、判断部９３は、スイッチ制御部９５を介して内部スイッチ５２をオフにする（ステップ１０７）。このように、画像処理装置１の消費電力がケーブルＣ２，Ｃ３からの供給電力で足りるときには、ケーブルＣ２，Ｃ３の供給電力のみで対応し、ＡＣ電源部５１の内部スイッチ５２をオフにしている。これにより、ＡＣ電源部５１の電力変換効率が低下して電力変換時のエネルギロスが大きくなる状態でＡＣ電源部５１を使用することを回避し、消費電力の削減を図っている。
【００３８】
その後、判断部９３は、最大の消費電力が変更されたか否かを、例えば図５に示す表を用いて判断し（ステップ１０８）、例えば省電力モードが解除されて例えば通常モードになった等により最大の消費電力の変更があったときには、ステップ１０２に戻る。すなわち、今まではＡＣ電源部５１を使用せずにケーブルＣ２，Ｃ３の供給電力で対応していたが、最大の消費電力が変更されたときには、判断部９３は、ＡＣ電源部５１を使用する必要があるか否かを判断するために、ステップ１０２に戻る。
【００３９】
また、ステップ１０５においてケーブルＣ３からの給電がないと判断したときにはステップ１０９に進む。すなわち、ステップ１０９に進む場合としては、ケーブルＣ２からの給電及びケーブルＣ３からの給電がないか、ケーブルＣ２及び／又はケーブルＣ３からの給電があっても最大の消費電力には足りないと判断部９３が判断したときである。
【００４０】
ステップ１０９では、判断部９３は、ＡＣ電源部５１の内部スイッチ５２がオンであるか否かを判断する。内部スイッチ５２がオンではないと判断すると、判断部９３は、スイッチ制御部９５を介して内部スイッチ５２をオンにし（ステップ１１０）、ＡＣ電源部５１の使用を開始する。
【００４１】
その後、判断部９３は、省電力モードに移行したか否かを判断し（ステップ１１１）、例えば通常モードから省電力モードに移行したと判断すると、ステップ１０２に戻る。
ステップ１０９において内部スイッチ５２がオンであると判断すると、ステップ１１１に進む。
【００４２】
このように、主電源スイッチＳＷがオンになっているときには、最大の消費電力に応じて、ケーブルＣ２からの給電、ケーブルＣ３からの給電、ケーブルＣ２及びケーブルＣ３からの給電、ＡＣ電源部５１からの給電等の様々な給電の形態になる。
【図面の簡単な説明】
【００４３】
【図１】本実施の形態に係る給電システムを示す概略構成図である。
【図２】ハブの機能構成例を示したブロック図である。
【図３】画像処理装置の構成例を示すブロック図である。
【図４】電源制御回路の構成例を示すブロック図である。
【図５】（ａ）及び（ｂ）は、電源制御回路の情報取得部が取得する電力情報の一例を示す表である。
【図６】電源制御回路の判断部による処理手順の一例を示すフローチャートである。
【符号の説明】
【００４４】
１…画像処理装置、３…ハブ、４…コントローラ、４１，４３…電源取得部、４２，４４…スイッチ、４５…電源供給切り替え部、４６，４７，４８…負荷系統、５１…ＡＣ電源部、５２…内部スイッチ、６１…電源制御回路、９１…情報取得部、９２…記憶部、９３…判断部、９４…送信部、９５…スイッチ制御部、Ｃ２，Ｃ３…ケーブル
【図１】
2009237985.tif 000003
【図２】
2009237985.tif 000004
【図３】
2009237985.tif 000005
【図４】
2009237985.tif 000006
【図５】
2009237985.tif 000007
【図６】
2009237985.tif 000008